(57)【要約】      （修正有）【課題】名刺を受け取った顧客や取引先に特別な便宜やメリットを与えることができる、特典付き名刺を提供する。【解決手段】少なくとも氏名及び住所が印刷された表紙部と、前記表紙部と連続するように形成された裏表紙部と、前記表紙部と裏表紙部との間に配置された一つ又は複数の長方形シートであって、その一方の面又は双方の面に、顧客のためのクーポン券、割引券、サービス券、感謝券、又は顧客ポイントなどの顧客のための特典を示す情報が印刷されている長方形シートと、前記長方形シートの各端辺又はその近傍部分を前記表紙部及び裏表紙部に接続してこれらの全体を前記端辺又はその近傍部分で綴じるための連結部と、前記長方形シートの各端辺又はその近傍部分に形成された切り取り線部であって、前記長方形シートを前記連結部から容易に切り離すための切り取り線部と、を備えた特典付き名刺である。【選択図】図１
0003121745.tif 000002
【実用新案登録請求の範囲】
【請求項１】
少なくとも氏名及び住所が印刷された長方形状の表紙部と、
前記表紙部と連続して形成された長方形状の裏表紙部と、
前記表紙部と裏表紙部との間に配置された一つ又は複数の長方形シートであって、その一方又は双方の面に、顧客のためのクーポン券、割引券、サービス券、感謝券、又は顧客ポイントなどの顧客のための特典を示す情報が印刷されている長方形シートと、
前記長方形シートの端辺又はその近傍部分と前記表紙部及び裏表紙部とを接続・連結してこれらの全体を前記端辺又はその近傍部分で綴じるための連結部と、
前記長方形シートの各端辺又はその近傍部分に形成された切り取り線部であって、前記長方形シートを前記連結部から容易に切り離すための切り取り線部と、
を備えたことを特徴とする特典付き名刺。
【請求項２】
請求項１において、前記長方形シートには、前記顧客のための特典を示す情報と共にその特典の有効期間を示す情報も印刷されている、ことを特徴とする特典付き名刺。
【請求項３】
請求項１又は２において、前記切り取り線部は、前記長方形シートの前記端辺に沿って微小な複数のスリットが間欠的に形成されて成るものである、ことを特徴とする特典付き名刺。
【考案の詳細な説明】
【技術分野】
【０００１】
本考案は、飲食店などを経営する会社の経営者や従業者が店舗などの顧客や取引先に手渡すための名刺に関する。
【背景技術】
【０００２】
従来より、名刺を単なる氏名や住所を相手に知らせるためだけのものとしないで、店舗や商品などの広告宣伝のためにも使用することが提案されている。例えば、特開２００２−３２６４７９号公報は、名刺の表面側に氏名や住所を記載し、その裏面側の全体に企業広告を表示した広告付き名刺を提案している（図６参照）。
【考案の開示】
【考案が解決しようとする課題】
【０００３】
しかしながら、前記の特開２００２−３２６４７９号公報などで提案されている広告付き名刺を含めて、従来の名刺は、いずれも、単に名刺の一部のスペースを広告などのために利用するというだけのもので、それ以上に、名刺を受け取った顧客や取引先に何らかの特別な便宜やメリットを与えるということはできなかった。
【０００４】
本考案はこのような従来技術の問題点に着目してなされたものであって、名刺を受け取った顧客や取引先に特別な便宜やメリットを与えることができる、特典付き名刺を提供することを目的とする。
【課題を解決するための手段】
【０００５】
以上のような課題を解決するための本考案による得点つき名刺は、少なくとも氏名及び住所が印刷された表紙部と、前記表紙部と連続するように形成された裏表紙部と、前記表紙部と裏表紙部との間に配置された一つ又は複数の長方形シートであって、その一方の面又は双方の面に、顧客のためのクーポン券、割引券、サービス券、感謝券、又は顧客ポイントなどの顧客のための特典を示す情報が印刷されている長方形シートと、前記長方形シートの各端辺又はその近傍部分を前記表紙部及び裏表紙部に接続してこれらの全体を前記端辺又はその近傍部分で綴じるための連結部と、前記長方形シートの各端辺又はその近傍部分に形成された切り取り線部であって、前記長方形シートを前記連結部から容易に切り離すための切り取り線部と、を備えたことを特徴とするものである。
【０００６】
また、本考案による特典付き名刺においては、前記長方形シートに、前記顧客のための特典を示す情報と共にその特典の有効期間を示す情報も印刷することが望ましい。
【０００７】
さらに、本考案による特典付き名刺においては、前記切り取り線部は、前記長方形シートの端辺に沿って微小な複数のスリットが間欠的に形成されて成るものであることが望ましい。
【考案の効果】
【０００８】
本考案の特典付き名刺においては、表紙部と裏表紙部との間に綴られている一つ又は複数の長方形シートに顧客のためのクーポン券、割引券、サービス券、感謝券、又は顧客ポイントなどの顧客のための特典を示す情報が印刷されており、顧客や取引先は、この長方形シートを前記切り取り線部により名刺から切り離して店舗などで使用することができる。よって、本考案の特典付き名刺を使用する場合は、名刺を受け取った顧客や取引先に対して、店舗などでサービスや割引などの特典を受けられるという特別の便宜やメリットを提供することができる。
【０００９】
また、本考案による特典付き名刺において、前記長方形シートに、前記顧客のための特典を示す情報と共にその特典の有効期間を示す情報をも印刷するようにしたときは、本考案による特典付き名刺を受け取った顧客や取引先に、前記有効期間内での早期の店舗の利用を促すことができるので、店舗の早期の売上げ促進や早期の口コミによる宣伝を期待できるようになる。
【００１０】
さらに、本考案による特典付き名刺において、前記切り取り線部を長方形シートの端辺に沿って微小な複数のスリットを間欠的に形成することにより構成したときは、本考案による特典付き名刺を受け取った顧客や取引先は、希望する特典が印刷された長方形シートを極めて容易に名刺本体から分離して店舗などで使用することができる。
【考案を実施するための最良の形態】
【００１１】
本考案を実施するための最良の形態は、以下の実施例１について述べるような形態である。
【実施例１】
【００１２】
以下、図１により、本考案の実施例１による特典付き名刺１の構成を説明する。図１（ａ）は本実施例１による名刺１をその平面方向から見たときの状態を示す平面図である。図１（ａ）において、２は、氏名、住所、電話番号、似顔絵、又は写真などが印刷された名刺１の表紙部である。
【００１３】
また、図１（ｂ）は本実施例１による名刺１をその底面方向から見たときの状態を示す底面図である。図１（ｂ）において、３は前記表紙部２と共通の一枚の紙シートにより連続的に形成されている名刺１の裏表紙部、４は前記表紙部２及び裏表紙部３の間に配置された複数（例えば５〜７枚）の長方形シート、５は前記複数の長方形シート４の図示左端辺部が前記前記表紙部２及び裏表紙部３の各左端辺部と綴られるように接着剤などで接続・連結するための連結部、である。
【００１４】
本実施例１では、以上の表紙部２、裏表紙部３、複数の長方形シート４、及び連結部５により、前記長方形シート４、前記表紙部２、及び裏表紙部３の各図示左端辺部が互いに綴じ合わせられた状態となっている。
【００１５】
次に、図２及び図３を参照して、前記長方形シート４の構成を説明する。図２に示すように、前記長方形シート４の表面には、例えば「管理部長専用感謝券」という文字が大きく印刷され、その下方に「炉舎（ろのや）店長・調理長宛            様は、私の大切なお客様です。よろしくお願いします。」という文字が印刷されている。また、図２に示すように、前記長方形シート４の前記連結部５に近い端辺部には、各長方形シート４を前記連結部又は名刺本体から切り離し・分離するための切り取り線部６が形成されている。この切り取り線部６は、図示のように、前記各長方形シート４の前記連結部５近傍の端辺と平行に複数の微小なスリットが間欠的（破線状）に形成されて成るものである。
【００１６】
また、図３は、前記の図２の長方形シート４（「管理部長専用感謝券」）を図示左方向にめくった後の状態を示すものである。すなわち、図３の図示左ページ部分に示すように、図２で説明した前記長方形シート４（「管理部長専用感謝券」）の裏面４ａには、「ご試食２００円割引券」という文字が大きく印刷され、その下方に対象の店舗の住所や地図などが印刷されている。また、この裏面４ａの図示下方には、「有効期限：２００８年１２月末日」というこの割引券によるサービスの有効期限も印刷されている（図３の符号４ｂ参照）。
【００１７】
次に、本実施例１による特典付き名刺１の使用方法を説明する。この実施例１による名刺１を受け取った顧客又は取引先は、この名刺１の中に掲載されているいずれかの店舗に行って利用するとき、この名刺１の中の前記複数の長方形シート４の中から、希望の長方形シート４を選んで、それを図４に示すように、前記切り取り線部６に沿って切り取る。図５はこのようにして切り取り、名刺本体から分離した後の長方形シート４を示す図である。図５（ａ）はこの長方形シート４の表面側、図５（ｂ）はこの長方形シート４の裏面側を示している。このようにして切り離した長方形シート４は、利用者（前記の顧客又は取引先）が店員に渡すことにより、ご試食２００円割引券として利用できる。
【００１８】
以上に説明したように、本実施例１の特典付き名刺１においては、表紙部２と裏表紙部３との間に綴られている一つ又は複数の長方形シート４に顧客のための感謝券や割引券などの特典を示す情報が印刷されているので、この名刺１を受け取った顧客や取引先は、店舗などを利用するとき、前記長方形シート４を前記切り取り線部６により名刺１から切り離して店員に渡すことにより、感謝券や割引券などによる特典を利用することができる。よって、本実施例１によれば、名刺を手渡した顧客や取引先に対して、従来の名刺のように単に氏名や住所を知らせるだけでなく、店舗などでの特別なサービスや割引などを受けられるという特典を提供することができる。
【００１９】
また、本実施例１の特典付き名刺においては、前記長方形シート４に、顧客のための割引券などの情報だけでなくその割引サービスを受けられる有効期間をも印刷するようにしているので、本実施例１の名刺を受け取った顧客や取引先に対して、前記有効期間内での早期の店舗の利用を促すことができるので、店舗の早期の売上げ促進や早期の口コミ宣伝を期待できる。
【００２０】
さらに、本実施例１の特典付き名刺においては、前記切り取り線部６を、長方形シート４の端辺に沿って微小な複数のスリットを間欠的に形成することにより構成しているので、本実施例１の名刺１を受け取った顧客や取引先は、希望する特典が印刷された長方形シート４を極めて容易に且つ迅速に名刺本体から分離できるようになる。
【００２１】
以上、本考案の各実施例について説明したが、本考案及び本考案を構成する各構成要件は、それぞれ、前記の各実施例及び前記の各実施例を構成する各要素として述べたものに限定されるものではなく、様々な修正及び変更が可能である。例えば、前記実施例１においては、前記長方形シート４の表面側に「管理部長専用感謝券」という文字を表示すると共にその裏面側に「ご試食２００円割引券」という文字を表示するようにしているが、本考案ではこれに限られることなく、前記長方形シート４の一方又は双方の面に、例えば顧客のためのクーポン券、割引券、サービス券、感謝券、又は顧客ポイントなどの顧客のための特典を示す様々な情報を印刷・表示することが可能である。
【図面の簡単な説明】
【００２２】
【図１】（ａ）は本考案の実施例１による特典付き名刺を示す平面図、（ｂ）はその底面図。
【図２】本実施例１の長方形シート４を説明するための図。
【図３】本実施例１の長方形シート４を説明するための図。
【図４】本実施例１による特典付き名刺の使用方法を説明するための図。
【図５】（ａ）は本実施例１による特典付き名刺から切り離した長方形シートの表面側を示す図、（ｂ）は本実施例１による特典付き名刺から切り離した長方形シートの裏面側を示す図。
【図６】従来の広告付き名刺を示す図。
【符号の説明】
【００２３】
１         名刺
２         表紙部
３         裏表紙部
４         長方形シート
５         連結部
６         切り取り線部
【図１】
0003121745.tif 000003
【図２】
0003121745.tif 000004
【図３】
0003121745.tif 000005
【図４】
0003121745.tif 000006
【図５】
0003121745.tif 000007
【図６】
0003121745.tif 000008